(57)【要約】【課題】魚の食い付きによる「あたり」に対し、釣り竿による「合わせ」を必ずしも人為的に行うことなく魚を釣り上げることができる簡単な構造の釣り用浮きを提供する。【解決手段】球体状の釣り用浮きであって、その球体の重心と球面の一部とを結ぶ直線上の、球面側に片寄った位置に錘１４を有し、前記球面の一部とは異なる球面上の一部に道糸を通す接続環１３を設け、前記球体が魚信である「あたり」により急速に所定角度回転したとき前記球体が水面７による抵抗を受けて釣り用浮きに沈下抵抗を与える。【選択図】図１
2011024531.tif 000002
【特許請求の範囲】
【請求項１】
球体状の釣り用浮きであって、その球体の重心と球面の一部とを結ぶ直線上の、球面側に片寄った位置に錘を有し、前記球面の一部とは異なる球面上の一部に道糸を通す接続環を設けたことを特徴とする釣り用浮き。
【請求項２】
請求項１記載の釣り用浮きにおいて、前記接続環は前記球体の重心に関し、前記錘とは反対側に位置することを特徴とする釣り用浮き。
【請求項３】
請求項１または２記載の釣り用浮きにおいて、前記接続環は前記球体の内部に向かって延びる芯軸を有し、該芯軸に錘を設けたことを特徴とする釣り用浮き。
【請求項４】
請求項１または３記載の釣り用浮きにおいて、前記球体は中空体からなることを特徴とする釣り用浮き。
【請求項５】
請求項１乃至４の何れか一つに記載の釣り用浮きにおいて、前記錘の、前記重心からの距離を調節して製造されたことを特徴とする釣り用浮き。
【発明の詳細な説明】
【技術分野】
【０００１】
本発明は、魚の食い付きによる「あたり」に対し、釣り竿による「合わせ」を、必ずしも人為的に行う必要のない釣り用浮きに関する。
【背景技術】
【０００２】
釣り用浮きを用いた釣りにおいては、魚の食い付きによる魚信、つまり「あたり」が浮きの上下動や沈下で認められたとき、釣り人はその瞬時に釣竿による「合わせ」を行って魚を釣り上げる。
【０００３】
釣竿による「合わせ」は、浮きを始終注視する必要があることは勿論のこと、「あたり」が認められときは絶妙なタイミングで釣り竿による合わせ操作を要するので、釣りの熟練者でない釣り人の場合、「合わせ」の好機を逸してしまうという問題がある。
この問題を解決するために、浮きにばねやゼンマイなどの弾性体を設け、「あたり」が生じたときに弾性体の反発力を利用して「合わせ」を自動化した釣り用浮きが従来技術として知られている。
【先行技術文献】
【特許文献】
【０００４】
【特許文献１】特開２００４−１６１６９号公報
【特許文献２】特開平９−３７６９２号公報
【発明の概要】
【発明が解決しようとする課題】
【０００５】
しかしながら、従来技術は、ばねやゼンマイなどを浮きに設けける必要があるので、浮きの構造が複雑になるという問題点がある。
【課題を解決するための手段】
【０００６】
上記の課題を解決するために、請求項１記載の発明は、球体状の釣り用浮きであって、その球体の重心と球面の一部とを結ぶ直線上の、球面側に片寄った位置に錘を有し、前記球面の一部とは異なる球面上の一部に道糸を通す接続環を設けたことを特徴とする。
請求項２記載の発明は、請求項１記載の釣り用浮きにおいて、前記接続環は前記球体の重心に関し、前記錘とは反対側に位置することを特徴とする。
請求項３記載の発明は、請求項１または２記載の釣り用浮きにおいて、前記接続環は前記球体の内部に向かって延びる芯軸を有し、該芯軸に錘を設けたことを特徴とする。
請求項４記載の発明は、請求項１または３記載の釣り用浮きにおいて、前記球体は中空体からなることを特徴とする釣り用浮き。
請求項５記載の発明は、請求項１乃至４の何れか一つに記載の釣り用浮きにおいて、前記錘の、前記重心からの距離を調節して製造されたことを特徴とする。
【発明の効果】
【０００７】
本発明によれば、球体状の釣り用浮きであって、球面の一部に道糸を通す接続環と、錘とを有する簡単な構造の釣り用浮きにより、魚の食い付きによる「あたり」に対し、釣り竿による「合わせ」を必ずしも人為的に行うことなく魚を釣り上げることができるので、釣りの熟練者でない釣り人でも釣果が得られる効果がある。
【図面の簡単な説明】
【０００８】
【図１】本発明の第１の実施形態に係る釣り用浮きを示す側面図であって、釣り用浮きが水面に浮いている状態を示す。
【図２】本発明の第１の実施形態において、浮き本体部が「あたり」により所定角回転した状態を示す側面図である。
【図３】本発明の第１の実施形態に係る釣り用浮きの部分断面を示す側面図である。
【図４】本発明の第２の実施形態に係る釣り用浮きの断面図である。
【図５】本発明の第３の実施形態に係る釣り用浮きを示す分解斜視図である。
【図６】本発明の第４の実施形態に係る釣り用浮きを示す断面図である。
【図７】本発明の第５の実施形態に係る釣り用浮きを示す側面図である。
【発明を実施するための形態】
【０００９】
以下、本発明の実施の形態について説明する。
図１は本発明の第１の実施形態を示す。同図において、釣り用浮き１は、直径４０ｍｍ程度の球体１２と、この球体１２の球面の一部に固定された、道糸１５を通す接続環１３と、球体１２の重心に関し、接続環１３とは反対側に設けられた錘１４とからなる球体状の釣り用浮きであって、接続環１３に道糸１５を通すことにより道糸１５に取り付けられる。符号１６は浮き止めを示す。
釣り用浮き１は、釣り状態において、錘１４が下部に位置する形態で水面に浮く。
【００１０】
図３に示すように、接続環１３は、その芯軸１３ａを球体１２に突き刺す形で球体１２の球面に固定され、一方、錘１４は球体１２の重心に関し、接続環１３とは反対側（接続環１３と対向する球面）の球面に埋め込まれた形で設けられる。
【００１１】
図２において、魚の食い付きによる魚信である「あたり」によって道糸１５が引き下げられると、接続環１３が最下位を占める位置まで球体１２が矢印方向に急速に所定角回転して、その回転位置で球体１２は回転が止まり、「あたり」によるさらなる道糸１５の引き下げ動作は、球体１２の球面による海面７に対する沈下抵抗を瞬時に受ける。この瞬時に生じる沈下抵抗により「合わせ」が生じる。その後、釣り竿を立ち上げて道糸１５を引き上げることにより魚を釣り上げることができる。「あたり」による球体１２の回転は、極めて速くスムーズに行われる。
球体１２は、木製または発砲スチロール製である。
【００１２】
図４は、本発明の第２の実施形態を示す。
同図において、釣り用浮き１は、金型で成形される軽量の樹脂製のものであり、接続環２３は、その芯軸２３ａが球体２２の重心０を通って延びており、その端部に錘２４が設けられている。
錘２４は、釣り用浮き１の成形前に重心０からの距離を調節して芯軸２３ａに固定される。
【００１３】
図５は、本発明の第３の実施形態を示す。
同図において、釣り用浮き１は、木製の球体を接続環３３と、重心０を含む平面で分割体３２ａと３２ｂとに２分割して、各分割体３２ａ、３２ｂのそれぞれの分割面に接続環３３と錘３４の凹部からなる取り付け部３３ｂ、３４ｂをそれぞれ形成し、接続環３３と錘３４とをそれらの取り付け部３３ｂ、３４ｂにセットした後、分割体３２ａと３２ｂとを互いに接合接着して作られる。
【００１４】
図６は、本発明の第４の実施形態を示す。
同図において、釣り用浮き１は、中空半球体４２ａ、４２ｂの各開口部を互いに結合した中空球体からなる。一方の中空半球体４２ａに設けられた接続環４３は、その芯軸４３ａが中空球体の重心０を通って延びており、その先端が他方の中空半球体４２ｂに固定される。芯軸４３ａに設けられる錘４４は、組み立て前に芯軸４３ａ上で位置調整される。錘４４を芯軸４３ａに摺動自在に設ける場合は、芯軸４３ａ上の、中空球体の重心０部に錘４４の移動を制止するストッパーを設ける。また、錘はこれを芯軸４３ａに設ける代わりに、中空球体の周面壁の一部に直接固定することもできる。
【００１５】
図７は、本発明の第５の実施形態を示す。
実施形態における球体状の釣り用浮き１は、接続環５３を設ける側の球面５２ａを、錘５４が設けられる側の球面よりも緩やかな球面とし、この形態により「あたり」によって球体が所定角回転して、接続環５３が最下位を占めたときの釣り用浮き１の沈下抵抗をより大きくすることができる。接続環５３が設ける球面５２ａは平面状にしてもよい。
【００１６】
以上説明した実施形態では、接続環と錘とが、球体の重心を通る一つの直線上に位置しているが、接続環と錘との相互の位置関係は、例えば、図３に破線１０３で示すように、球面上の適宜の位置、すなわち錘との位置関係の下、「あたり」により球体が所定角回転できる任意の位置に設けることができる。
図５に示す実施形態においても同様であり、図４または図６に示す実施形態のように、錘が芯軸上に設けられる場合は、接続環の取り付け位置に応じて、破線で示すように、芯軸を適当角屈曲させて接続環の位置を決める。
図７に示す実施形態では、接続環の位置を変える場合は、その接続環を設ける部位の球面を緩やかな球面５２ａとする。
要するに、本発明における接続環と錘との相互の位置関係は、釣り状態において接続環が水面から上方に所定距離離れた位置を占めれば、「あたり」で瞬時に生じる沈下抵抗により「合わせ」が起きる。
錘は「あたり」による球体の急速な回転に支障をきたさない程度であれば、球面から突出していてもよい。たとえば、半球体からなる錘の平面部中央に球体に突き刺す芯軸を設け、この芯軸を接続環との位置関係を考慮して球面に突き刺して錘を球体に固定する。この錘によれば、「あたり」による球体の回転角を自由に調整することができる。また、接続環についても、この錘同様、球体の適宜の位置に対して突き刺し可能に作ることができる。
また、本発明における球体は、球体と同様の作用効果を奏する多面体からなるものも含む。
球体状の釣り用浮きに設けられる錘の、球体の重心からの距離及び／又は重さは、釣針を有するハリスに設けられる錘の号数によって調整される。
【符号の説明】
【００１７】
１                釣り用浮き
７                海面
１２、２２、５２              球体
１３、２３、３３、４３、５３  接続環
１３ａ、２３ａ、４３ａ        芯軸
１４、２４、３４、４４、５４  錘
１５              道糸
１６              浮き止め
３２ａ、３２ｂ    分割体
４２ａ、４２ｂ    中空半球体
Ｏ                球体の重心
【図１】
2011024531.tif 000003
【図２】
2011024531.tif 000004
【図３】
2011024531.tif 000005
【図４】
2011024531.tif 000006
【図５】
2011024531.tif 000007
【図６】
2011024531.tif 000008
【図７】
2011024531.tif 000009